(57)【要約】【課題】効率的なハンドオーバを実現する無線通信システムを得ること。【解決手段】本発明は、１つ以上の基地局を収容可能な基地局収容装置（ＭＭＥ１０，２０，３０）と、ＭＭＥに接続された基地局（ｅＮＢ１１，ＨｅＮＢ２１）とを備えた無線通信システムであって、ＭＭＥ２０，３０は、他の基地局と直接通信する機能を有していない基地局であるＨｅＮＢ２１からハンドオーバ制御で使用される所定の情報を取得して保持しておき、ＨｅＮＢ２１へのハンドオーバ要求を受信した場合、保持しておいた情報に基づいて、ハンドオーバ要求を受け付けるかどうか判断する。【選択図】図１
2011077704.tif 000002
【特許請求の範囲】
【請求項１】
１つ以上の基地局を収容可能な基地局収容装置と、基地局収容装置に接続された基地局とを備えた無線通信システムであって、
前記基地局収容装置は、他の基地局と直接通信する機能を有していない基地局である特殊基地局からハンドオーバ制御で使用される所定の情報を取得して保持しておき、特殊基地局へのハンドオーバ要求を受信した場合、保持しておいた情報に基づいて、ハンドオーバ要求を受け付けるかどうか判断する
ことを特徴とする無線通信システム。
【請求項２】
前記所定の情報を、前記特殊基地局の負荷状態を示す情報とする
ことを特徴とする請求項１に記載の無線通信システム。
【請求項３】
前記基地局収容装置は、前記特殊基地局へのハンドオーバ要求を受信すると、当該特殊基地局の負荷状況を確認し、負荷が高い状態であれば前記ハンドオーバ要求を拒絶する応答メッセージを返送する
ことを特徴とする請求項２に記載の無線通信システム。
【請求項４】
前記所定の情報を、前記特殊基地局でハンドオーバの規制対象とされている移動機および呼の情報とする
ことを特徴とする請求項１に記載の無線通信システム。
【請求項５】
前記基地局収容装置は、前記特殊基地局へのハンドオーバ要求を受信すると、ハンドオーバを実行する移動機および呼について、ハンドオーバの規制対象に含まれるかどうかを確認し、少なくともいずれか一方が含まれる場合、前記ハンドオーバ要求を拒絶する応答メッセージを返送する
ことを特徴とする請求項４に記載の無線通信システム。
【請求項６】
前記基地局収容装置は、
前記特殊基地局から、ハンドオーバを実行する移動機が当該特殊基地局に干渉を与える移動機かどうかを判定するための判定基準をさらに取得して保持しておき、
前記特殊基地局へのハンドオーバ要求を受信した場合、ハンドオーバを実行しようとしている移動機が当該特殊基地局に干渉を与えない移動機であれば、前記ハンドオーバ要求を拒絶する応答メッセージを返送する
ことを特徴とする請求項１〜５のいずれか一つに記載の無線通信システム。
【請求項７】
直接またはゲートウェイ装置を介して１つ以上の基地局を収容可能な基地局収容装置と、当該基地局収容装置に収容された基地局とを備えた無線通信システムであって、
他の基地局と直接通信する機能を有していない基地局である特殊基地局と前記基地局収容装置とを接続するゲートウェイ装置は、
自身に接続されている特殊基地局からハンドオーバ制御で使用される所定の情報を取得して保持しておき、特殊基地局へのハンドオーバ要求を受信した場合、保持しておいた情報に基づいて、ハンドオーバ要求を受け付けるかどうか判断する
ことを特徴とする無線通信システム。
【請求項８】
前記所定の情報を、前記特殊基地局の負荷状態を示す情報とする
ことを特徴とする請求項７に記載の無線通信システム。
【請求項９】
前記特殊基地局と前記基地局収容装置とを接続するゲートウェイ装置は、受信したハンドオーバ要求が示す特殊基地局の負荷状況を確認し、負荷が高い状態であれば当該ハンドオーバ要求を拒絶する応答メッセージを返送する
ことを特徴とする請求項８に記載の無線通信システム。
【請求項１０】
前記所定の情報を、前記特殊基地局でハンドオーバの規制対象とされている移動機および呼の情報とする
ことを特徴とする請求項７に記載の無線通信システム。
【請求項１１】
前記特殊基地局と前記基地局収容装置とを接続するゲートウェイ装置は、ハンドオーバを実行する移動機および呼について、ハンドオーバの規制対象に含まれるかどうかを確認し、少なくともいずれか一方が含まれる場合、前記ハンドオーバ要求を拒絶する応答メッセージを返送する
ことを特徴とする請求項１０に記載の無線通信システム。
【請求項１２】
前記特殊基地局と前記基地局収容装置とを接続するゲートウェイ装置は、
自身に接続された特殊基地局から、ハンドオーバを実行する移動機が当該特殊基地局に干渉を与える移動機かどうかを判定するための判定基準情報をさらに取得して保持しておき、
ハンドオーバ要求を受信した場合、ハンドオーバを実行しようとしている移動機が当該特殊基地局に干渉を与えない移動機であれば、当該ハンドオーバ要求を拒絶する応答メッセージを返送する
ことを特徴とする請求項７〜１１のいずれか一つに記載の無線通信システム。
【請求項１３】
直接またはゲートウェイ装置を介して１つ以上の基地局を収容可能な基地局収容装置と、当該基地局収容装置に収容された基地局とを備えた無線通信システムにおいて、前記基地局収容装置または前記ゲートウェイ装置が実行するハンドオーバ制御方法であって、
他の基地局と直接通信する機能を有していない基地局である特殊基地局からハンドオーバ制御で使用される所定の情報を取得する情報取得ステップと、
前記特殊基地局へのハンドオーバ要求を受信した場合、前記情報取得ステップで取得した情報に基づいて、ハンドオーバ要求を受け付けるかどうか判断する判断ステップと、
を含むことを特徴とするハンドオーバ制御方法。
【請求項１４】
前記所定の情報を、前記特殊基地局の負荷状態を示す情報とする
ことを特徴とする請求項１３に記載のハンドオーバ制御方法。
【請求項１５】
前記判断ステップでは、前記特殊基地局の負荷状況を確認し、負荷が高い状態であれば前記ハンドオーバ要求を拒絶する応答メッセージを返送する
ことを特徴とする請求項１４に記載のハンドオーバ制御方法。
【請求項１６】
前記所定の情報を、前記特殊基地局でハンドオーバの規制対象とされている移動機および呼の情報とする
ことを特徴とする請求項１３に記載のハンドオーバ制御方法。
【請求項１７】
前記判断ステップでは、ハンドオーバを実行する移動機および呼について、ハンドオーバの規制対象に含まれるかどうかを確認し、少なくともいずれか一方が含まれる場合、前記ハンドオーバ要求を拒絶する応答メッセージを返送する
ことを特徴とする請求項１６に記載のハンドオーバ制御方法。
【請求項１８】
前記情報取得ステップでは、前記特殊基地局から、ハンドオーバを実行する移動機が当該特殊基地局に干渉を与える移動機かどうかを判定するための判定基準をさらに取得し、
前記判断ステップでは、ハンドオーバを実行しようとしている移動機が当該特殊基地局に干渉を与えない移動機であれば、前記ハンドオーバ要求を拒絶する応答メッセージを返送する
ことを特徴とする請求項１３〜１７のいずれか一つに記載のハンドオーバ制御方法。
【発明の詳細な説明】
【技術分野】
【０００１】
本発明は、移動機の効率的なハンドオーバを実現する無線通信システムおよびハンドオーバ制御方法に関する。
【背景技術】
【０００２】
３ＧＰＰ（3rd  Generation  Partnership  Project）では次世代移動体通信システムＥＰＳ（Evolved  Packet  System）において、主に屋内での使用を目的とした家庭用基地局（Home  eNodeB、以下、ＨｅＮＢと称す)の規格化が進められている。
【０００３】
このＨｅＮＢには、通常の基地局（以下、ｅＮＢと称す）と比べてセル半径が小さい，収用ユーザが少ない，ユーザが加入するブロードバンド回線を使用してコアネットワークに接続される，といった特徴がある。又、ＣＳＧ（Closed  Subscriber  Group）と呼ばれるアクセス制御機能を具備し、特定ユーザのみ接続を許可するclosedモード，全てのユーザに接続を許可するopenモード，アクセス権をもつユーザに対してはclosedモードで動作し、かつアクセス権をもたないユーザに対してはopenモードとして動作するhybridモード，の３つのアクセス制御レベルを提供することで、ユーザ宅内，不感地，ショッピングモール等における様々なサービス形態に対応できるようにしている。
【０００４】
また、３ＧＰＰでは、ＥＰＳにおいてＨｅＮＢを導入する場合の無線アクセスネットワーク（Evolved  Universal  Terrestrial  Radio  Access  Network、以下、Ｅ−ＵＴＲＡＮと称す）のアーキテクチャが規格化され、下記非特許文献１にまとめられている。そして、ＨｅＮＢを含むＥ−ＵＴＲＡＮアーキテクチャは次のように要約できる。
【０００５】
（１）ｅＮＢ間に存在するＸ２インタフェースがＨｅＮＢ間には存在しない。
（２）ＨｅＮＢはコアネットワーク（Evolved  Packet  Core、以下、ＥＰＣと称す）ノードであるＭＭＥ（Mobility  Management  Entity）及びＳ−ＧＷ（Serving  Gateway）とＳ１インタフェースで直接接続するか、あるいは複数のＨｅＮＢを収容するＨｅＮＢ−ＧＷ（HeNB  Gateway）を設け、ＨｅＮＢはＨｅＮＢ−ＧＷと接続し、ＨｅＮＢ−ＧＷはＭＭＥ／Ｓ−ＧＷと接続する。
（３）ＨｅＮＢがＨｅＮＢ−ＧＷと接続する場合、ＨｅＮＢ〜ＨｅＮＢ−ＧＷ間ではＳ１フレックスと呼ばれるｅＮＢ／ＨｅＮＢ〜ＭＭＥ／Ｓ−ＧＷ間の多対多接続はしない。
（４）ＨｅＮＢ−ＧＷ間にはＸ２インタフェースが存在しない。
【０００６】
ここで、Ｘ２インタフェースはｅＮＢ間の制御／データパスであり、ｅＮＢ間で移動機（User  Equipment、以下、ＵＥと称す）がハンドオーバする際にハンドオーバ制御メッセージを交換したり、ハンドオーバ前のｅＮＢにおいて送信途中のデータをハンドオーバ先ｅＮＢに転送したりする他、ｅＮＢ間でセル間干渉回避を行なうための情報や負荷分散を行なうための情報が交換される。また、３ＧＰＰでは、ハンドオーバ制御やセル間干渉回避・負荷分散を行なうための情報を交換するためのプロトコル（Ｘ２−ＡＰ）規格（非特許文献２参照）、およびハンドオーバの際のデータ転送を行なうためのプロトコル（ＧＴＰ−Ｕ）規格（非特許文献３参照）がまとめられている。これらの規格に従うことにより、Ｘ２インタフェースをもつｅＮＢ間では、各セルにおけるＵＥ接続状況が負荷情報としてＸ２−ＡＰプロトコルによって交換されるため、ハンドオーバを開始しようとするｅＮＢではＵＥが測定したハンドオーバ先候補セルの無線品質及びＸ２−ＡＰプロトコルにより取得した各セルの負荷状況を加味してハンドオーバ先セルを決定する。その結果、ハンドオーバ実行後にハンドオーバ先セルの無線品質が悪く無線接続が切れることを回避するのみならず、ハンドオーバ先セルに多数のＵＥが接続しており、ハンドオーバしてきたＵＥを受け付けることができずに無線接続が切れる問題も回避することができる。
【先行技術文献】
【非特許文献】
【０００７】
【非特許文献１】３ＧＰＰ  ＴＳ３６．３００，Ｖ８.９.０（２００９−０６）
【非特許文献２】３ＧＰＰ  ＴＳ３６．４２３，Ｖ８.６.０（２００９−０６）
【非特許文献３】３ＧＰＰ  ＴＳ２９．２８１，Ｖ８.２.０（２００９−０６）
【発明の概要】
【発明が解決しようとする課題】
【０００８】
Openモード又はhybridモードのＨｅＮＢは、公共性が高いためにショッピングモールなどの人の到来が多いエリアへの設置が予想される。このようなエリアではＨｅＮＢへ接続するユーザが定常的に多く、新規ＵＥの接続ができなくなる状態（新たに接続を希望するＵＥに対してリソースを割り当てられない状態）になる可能性が高くなる。しかし、ＨｅＮＢは基地局間インタフェースであるＸ２インタフェースがなく、基地局間で各セルの負荷情報を交換することができないため、ある基地局(ｅＮＢ又はＨｅＮＢ)からＨｅＮＢへハンドオーバする際にはハンドオーバ先ＨｅＮＢの負荷情報を把握することなく、ハンドオーバ制御を行なうことになる。ハンドオーバ先ＨｅＮＢは新規ハンドオーバを受け付けることができない場合、ハンドオーバ要求を受信する度に拒絶メッセージを返信することになるが、上記多数のユーザが到来するエリアではハンドオーバメッセージが頻繁にＨｅＮＢに送信されることになり、ＨｅＮＢが接続するブロードバンド回線をひっ迫させたり、ＨｅＮＢのハンドオーバ処理負荷を上昇させたりする問題が発生する。
【０００９】
本発明は、上記に鑑みてなされたものであって、ＨｅＮＢへの効率的なハンドオーバを実現する無線通信システムおよびハンドオーバ制御方法を提供することを目的とする。
【課題を解決するための手段】
【００１０】
上述した課題を解決し、目的を達成するために、本発明は、１つ以上の基地局を収容可能な基地局収容装置と、基地局収容装置に接続された基地局とを備えた無線通信システムであって、前記基地局収容装置は、他の基地局と直接通信する機能を有していない基地局である特殊基地局からハンドオーバ制御で使用される所定の情報を取得して保持しておき、特殊基地局へのハンドオーバ要求を受信した場合、保持しておいた情報に基づいて、ハンドオーバ要求を受け付けるかどうか判断することを特徴とする。
【発明の効果】
【００１１】
本発明によれば、負荷が高いＨｅＮＢ（特殊基地局に相当）に対して無駄なハンドオーバ要求が送信されなくなり、効率的なハンドオーバ制御が実現できる。また、ハンドオーバ先のＨｅＮＢとそれを制御しているＭＭＥ（基地局収容装置に相当）との間の帯域がハンドオーバ制御メッセージによりひっ迫されるのを防止できるとともに、ハンドオーバ先のＨｅＮＢにおけるハンドオーバ処理負荷を軽減できる。
【図面の簡単な説明】
【００１２】
【図１】図１は、本発明にかかる無線通信システムの実施の形態１の構成例を示す図である。
【図２】図２は、ＨｅＮＢ２１からＭＭＥへ通知される負荷情報の一例を示す図である。
【図３】図３は、実施の形態１の無線通信システムにおけるハンドオーバ制御シーケンスの一例を示す図である。
【図４】図４は、ＨｅＮＢからＭＭＥへ通知される、ハンドオーバ処理の受け付けレベルの一例を示す図である。
【図５】図５は、実施の形態２の無線通信システムにおけるハンドオーバ制御シーケンスの一例を示す図である。
【図６】図６は、ＨｅＮＢからＭＭＥへ通知されるＵＥ属性の一例を示す図である。
【図７】図７は、ＵＥ属性に対応させたハンドオーバ処理の受け付けレベルの一例を示す図である。
【図８】図８は、実施の形態３の無線通信システムにおけるハンドオーバ制御シーケンスの一例を示す図である。
【図９】図９は、実施の形態４の無線通信システムの構成例を示す図である。
【図１０】図１０は、実施の形態４の無線通信システムにおけるハンドオーバ制御シーケンスの一例を示す図である。
【発明を実施するための形態】
【００１３】
以下に、本発明にかかる無線通信システムおよびハンドオーバ制御方法の実施の形態を図面に基づいて詳細に説明する。なお、この実施の形態によりこの発明が限定されるものではない。
【００１４】
実施の形態１．
図１は、本発明にかかる無線通信システムの実施の形態１の構成例を示す図であり、一例として、無線通信システムがＥ−ＵＴＲＡＮの場合（ＥＰＳにＨｅＮＢを導入した場合）の構成を示している。具体的には、このＥ−ＵＴＲＡＮは、図示を省略したＥＰＣ（コアネットワーク）へのゲートウェイ装置である複数のＭＭＥ（この例ではＭＭＥ１０，２０，３０を示している）と、ＭＭＥにＳ１インタフェースで接続する１つ以上のｅＮＢおよびＨｅＮＢ（この例ではＭＭＥ１０に接続するｅＮＢ１１，ＭＭＥ２０および３０に接続するＨｅＮＢ２１を示している）とにより構成されている。また、移動機であるＵＥ１は、基地局（ｅＮＢまたはＨｅＮＢ）に無線接続し、移動に伴いハンドオーバを実行して接続先の基地局を切り替える。なお、基地局としてＨｅＮＢのみを備えた構成であってもよい。
【００１５】
上記構成のＥ−ＵＴＲＡＮにおいて、基地局収容装置に相当するＭＭＥ１０、２０および３０はＥＰＣ内で相互に通信可能であり、図示した鎖線で示すインタフェース（３ＧＰＰにて規定されているＳ１０インタフェース）で接続されている。なお、各ＭＭＥは自身に接続されたｅＮＢ及びＨｅＮＢに接続しているＵＥの移動管理やＱｏＳ制御・課金を含むサービス制御等、制御面を司る。また、ｅＮＢ及びＨｅＮＢを介してＵＥと送受するユーザデータは、Ｓ−ＧＷがＥＰＣとＥ−ＵＴＲＡＮとの間のゲートウェイ装置となってＵＥの通信相手との間で送受信されるが、図１においては記載を省略している。また、ハンドオーバ元基地局は通常の基地局（ｅＮＢ）である必要はなく、ハンドオーバ先基地局と同様に家庭用基地局（ＨｅＮＢ）であっても同様の制御手順となる。
【００１６】
以下、本実施の形態の無線通信システムにおけるハンドオーバ制御動作について説明する。ここでは、図１に示した構成の無線通信システムにおいて、ｅＮＢ１１に接続しているＵＥ１がＨｅＮＢ２１にハンドオーバする場合の動作例について説明する。
【００１７】
まず、ＨｅＮＢ２１は、自身に接続しているＵＥに割り当てている無線リソースの空きや接続ＵＥに対する無線リソース管理制御・移動制御等の制御負荷を元に、自身の負荷状態を判断し、その結果を示す負荷情報をＭＭＥ２０及びＭＭＥ３０へ通知する。図２は、ＨｅＮＢ２１からＭＭＥ２０及びＭＭＥ３０へ通知される負荷情報の一例を示す図である。図に示すように負荷レベルは、任意のＵＥを受け付け可能な状態（レベル０）と、負荷が高く新規のＵＥを受け付け不可能な状態（レベル１）の２レベルとし、ＨｅＮＢ２１は負荷レベルが変化する毎にＭＭＥ２０及びＭＭＥ３０に負荷レベルを通知する。負荷レベルの通知には、例えば３ＧＰＰ  ＴＳ３６.４１３（Ｖ８.６.１）で規定されている「ENB  CONFIGURATION  UPDATEメッセージ」に負荷レベルを通知する領域を設けて使用することができる。又、同規格で規定されている、ＭＭＥの負荷状態をＨｅＮＢ又はｅＮＢに通知するのに使用する「OVERLOAD  STARTメッセージ」及び「OVERLOAD  STOPメッセージ」と同様のメッセージを追加定義して使用することができる。もちろん、これ以外の方法にて通知するようにしてもよい。ＭＭＥ２０および３０は、ＨｅＮＢ２１から通知された負荷情報を、ＨｅＮＢ２１から新たな負荷情報が通知されてくるまで保持しておく。
【００１８】
上記のようにしてＭＭＥ２０及びＭＭＥ３０がＨｅＮＢ２１の負荷状態を把握し、ＨｅＮＢ２１の負荷が高く、新規ＵＥを受け付け不可能な状態でＵＥ１がｅＮＢ１１からＨｅＮＢ２１へハンドオーバする際の動作を、図３を用いて説明する。図３は、実施の形態１の無線通信システムにおけるハンドオーバ制御シーケンスの一例を示す図であり、具体的には、ハンドオーバ先の基地局として選択されたＨｅＮＢ２１が高負荷状態のためハンドオーバ（ＵＥ１の新規接続）を受け付けられない場合の制御シーケンスを示している。
【００１９】
本実施の形態の無線通信システムにおいて、ＵＥ１は、所定のタイミングで受信信号レベルや通信品質などを測定し、その測定結果を測定情報として含んだ「MEASUREMENT  REPORTメッセージ」を接続中のｅＮＢ１１へ送信する（ステップＳ１）。なお、ＵＥ１は、通信中ではない他の周辺基地局（たとえばＨｅＮＢ２１）からの信号受信レベルなども併せて測定・通知する。２つ以上の周辺基地局からの信号受信レベルなどを測定し、それらの測定結果の一部またはすべてを通知するようにしてもよい。ｅＮＢ１１は、ＵＥ１から報告された測定情報等に基づいて、ＵＥ１を他の基地局にハンドオーバさせるかどうかを判断する。ハンドオーバさせると判断した場合、ハンドオーバ先の基地局も併せて決定する。
【００２０】
そして、ｅＮＢ１１は、ここでは、ハンドオーバさせると判断し、またハンドオーバ先の基地局をＨｅＮＢ２１に決定し、自身配下のＵＥ１をＨｅＮＢ２１へハンドオーバさせることを、Ｓ１インタフェースで接続されたＭＭＥ１０に「HANDOVER  REQUIREDメッセージ」を送信することにより通知する（ステップＳ２）。
【００２１】
ｅＮＢ１１から上記通知を受けた場合、ＭＭＥ１０は、ＵＥ１のハンドオーバ先基地局（ＨｅＮＢ２１）を管理（制御）しているＭＭＥを確認し、ＨｅＮＢ２１がＭＭＥ２０及びＭＭＥ３０に制御されていることを判断して、そのうちの一つをハンドオーバ後のＵＥ１の移動管理を行なうＥＰＣノード（コアネットワークノード）として選択する。ここでは、ＭＭＥ２０を選択したものとして説明を進める。この場合、ＭＭＥ１０は、ハンドオーバ要求（FORWARD  RELOCATION  REQUESTメッセージ）をＭＭＥ２０に送信する（ステップＳ３）。
【００２２】
ＭＭＥ２０は、ＭＭＥ１０からハンドオーバ要求を受信すると、このハンドオーバ要求が示している基地局（ハンドオーバ先として選択されたＨｅＮＢ２１）から取得しておいた負荷情報を確認し、当該基地局の負荷状態を把握する。そして、ここではＨｅＮＢ２１の負荷が高く、ＵＥ１のハンドオーバを受け付け不可能な状態であるため、直ちに、ハンドオーバ要求を拒絶する内容のメッセージ応答（FORWARD  RELOCATION  RESPONSEメッセージ）をＭＭＥ１０に返送する（ステップＳ４）。
【００２３】
ＭＭＥ１０は、上記ステップＳ３でのハンドオーバ要求に対してハンドオーバを拒絶する応答をＭＭＥ２０から受信すると、ｅＮＢ１１に対してＨｅＮＢ２１へのハンドオーバを拒絶する応答（HANDOVER  PREPARATION  FAILUREメッセージ）を返送する（ステップＳ５）。
【００２４】
なお、ＨｅＮＢ２１の負荷が低い場合（上記ステップＳ４でＭＭＥ２０がＭＭＥ１０からのハンドオーバ要求を受付可能と判断した場合）のその後の処理は従来と同様である。この場合の制御手順は、３ＧＰＰ  ＴＳ２３.４０１（Ｖ８.６.０）に記載されたものと同様であるため、説明を省略する。
【００２５】
また、図３に示したハンドオーバ制御は、図１に示したシステム構成、すなわち、ハンドオーバ元基地局（ｅＮＢ又はＨｅＮＢ）およびハンドオーバ先基地局（ＨｅＮＢ）がＭＭＥに直接接続され、かつハンドーバ元基地局が接続されたＭＭＥとハンドオーバ先基地局が接続されたＭＭＥが異なる場合の動作を示したものであるが、ハンドオーバ前後の基地局が接続するＭＭＥが同一の場合や、ＭＭＥとＨｅＮＢの間にＨｅＮＢ−ＧＷが介在する場合のハンドオーバ制御も同様である。以下、これらの場合について概説する。
【００２６】
＜ハンドオーバ元基地局とハンドオーバ先ＨｅＮＢが同一ＭＭＥに接続されている場合＞
図１においてＭＭＥ１０とＭＭＥ２０が同一の場合などが該当する。ここでは、ｅＮＢ１１およびＨｅＮＢ２１がともにＭＭＥ１０に接続されている場合の動作例について説明する。この場合、図３におけるステップＳ３およびＳ４が省略され、ＭＭＥ１０はステップＳ２において「HANDOVER  REQUIREDメッセージ」を受信すると、ハンドオーバ先ＨｅＮＢ２１の負荷状態をチェックし、ＨｅＮＢ２１が高負荷状態のためハンドオーバ要求を受け付けられない場合には、ステップＳ５でハンドオーバ拒否（HANDOVER  PREPARATION  FAILUREメッセージ）をハンドオーバ元のｅＮＢ１１に返答する。
【００２７】
＜ハンドオーバ元基地局がＨｅＮＢ−ＧＷに接続されている場合＞
図１においてｅＮＢ１１がＨｅＮＢに置き換えられ、さらに、このＨｅＮＢとＭＭＥ１０がＨｅＮＢ−ＧＷを介して接続されている場合などが該当する。この場合、図３においてステップＳ２の「HANDOVER  REQUIREDメッセージ」とステップＳ５の「HANDOVER  PREPARATION  FAILUREメッセージ」、すなわち、ハンドオーバ元基地局とこの基地局を制御しているＭＭＥ１０との間で送受信されるメッセージがＨｅＮＢ−ＧＷによって中継される。これ以外の点については上述したハンドオーバ制御と同じである。
【００２８】
＜ハンドオーバ先ＨｅＮＢがＨｅＮＢ−ＧＷに接続されている場合＞
図１においてＨｅＮＢ２１がＨｅＮＢ−ＧＷを介してＭＭＥ２０および３０に接続されている場合などが該当する。この場合、ハンドオーバ後のＵＥ１の移動管理を行なうＭＭＥ２０とＨｅＮＢ２１と間の制御メッセージがＨｅＮＢ−ＧＷによって中継される点が上述したハンドオーバ制御と異なる。ただし、ＭＭＥ２０は、ＨｅＮＢ２１の負荷が高いことを認識した場合、ＨｅＮＢ２１にハンドオーバ制御メッセージを送信しないので、ＨｅＮＢ−ＧＷによる制御メッセージの中継も発生しない。
【００２９】
このように、本実施の形態の無線通信システムでは、ＨｅＮＢがＭＭＥへ自身の負荷状態を通知する手段を設け、ＭＭＥは、制御している各ＨｅＮＢの負荷状態を把握するようにしておき、ハンドオーバ先の基地局として指定されたＨｅＮＢの負荷が高くハンドオーバを受け付けられない状態の場合には、ハンドオーバ元の基地局（ｅＮＢまたはＨｅＮＢ）を制御しているＭＭＥから受信したＭＭＥ間のハンドオーバ要求に対して、ただちに拒否応答を返送するようにした。これにより、負荷が高いＨｅＮＢに対して無駄なハンドオーバ要求が送信されなくなり、効率的なハンドオーバ制御が実現できる。また、ハンドオーバ先のＨｅＮＢとそれを制御しているＭＭＥとの間のユーザ加入ブロードバンド回線の帯域をハンドオーバ制御メッセージがひっ迫するのを防止できるとともに、ハンドオーバ先のＨｅＮＢにおいて相次ぐハンドオーバ要求を処理するためのハンドオーバ処理負荷を軽減できる。
【００３０】
実施の形態２．
つづいて、実施の形態２の無線通信システムについて説明する。なお、システムの構成は、実施の形態１と同様であるものとして説明を行なう（図１参照）。
【００３１】
実施の形態１では、ＨｅＮＢが自身を制御するＭＭＥに対して、負荷が高いか否かの２値を通知しておき、ＭＭＥはハンドオーバ制御時に、ハンドオーバ先として指定されたＨｅＮＢの負荷が高い状態であれば、ハンドオーバ制御メッセージをこのＨｅＮＢに送信することなく、一律ハンドオーバを拒否する制御動作について説明した。これに対して、本実施の形態では、ＨｅＮＢは、自身を制御するＭＭＥ（複数の場合もありうる）に対して、図４に例示したような、ハンドオーバ処理の受け付けレベル（０〜３のいずれか）を通知し、この通知内容に基づいてＭＭＥがハンドオーバ制御を実施することにより、ＨｅＮＢにおける不要なハンドオーバ制御動作を削減しつつ、既存ＵＥの負荷分散やＱｏＳ制御等の高度な呼処理をＨｅＮＢで行なう場合の制御動作について説明する。
【００３２】
図４において、受け付け状態「０」は、ＨｅＮＢが任意のＵＥからのハンドオーバ要求を受け付ける（ＵＥや呼の種別に基づいた規制を行なっていない）ことを意味しており、受け付け状態「１」は、ＨｅＮＢがＣＳＧ（アクセス権を有するユーザ（ＵＥ）のハンドオーバ）及び緊急呼のハンドオーバのみを受け付けることを意味しており、受け付け状態「２」は、ＨｅＮＢが緊急呼のハンドオーバ要求のみを受け付けることを意味しており、また受け付け状態「３」は、ＨｅＮＢが呼の種別によらず、すべてのハンドオーバ要求を受け付けないことを意味している。なお、ＨｅＮＢは、ハンドオーバ処理の受け付けレベルを変更した場合、自身を制御するＭＭＥへハンドオーバ処理の受け付けレベルを通知する。
【００３３】
以下、図５を参照しながら本実施の形態のハンドオーバ制御動作について説明する。図５は、実施の形態２の無線通信システムにおけるハンドオーバ制御シーケンスの一例を示す図であり、ＨｅＮＢ２１がハンドオーバ（ＵＥ１の新規接続）を受け付けられない場合のシーケンスを示している。なお、ＨｅＮＢ２１がハンドオーバ要求を受付可能な場合、通常のシーケンスとなるが、これは、３ＧＰＰ  ＴＳ.２３.４０１（Ｖ８.６.０）に従った制御となる。また、図５において、実施の形態１のハンドオーバ制御シーケンスを示した図３に含まれる処理と同一の処理には同じステップ番号を付与している。これらの処理については、説明を省略する。
【００３４】
本実施の形態の無線通信システムにおけるハンドオーバ制御では、ステップＳ３を実行すると、次に、ハンドオーバ受付制御動作を実行する（ステップＳ１０）。このステップＳ１０では、具体的には、ＭＭＥ２０は、まず、ＨｅＮＢ２１のハンドオーバ受け付け状態をチェックする。
【００３５】
そして、（Ａ）受け付け状態が「０」の場合には通常のハンドオーバ手順に従いステップＳ１１を実行する。
【００３６】
（Ｂ）受け付け状態が「１」の場合にはＵＥ１が確立しているサービスが緊急呼かかどうか、およびＵＥ１がＨｅＮＢ２１にアクセス可能な移動機として登録されているか（アクセス権を有しているか）どうかを確認し、ＵＥ１が緊急呼を確立しているかアクセス権を有していれば、通常のシーケンスと同様に、ＨｅＮＢ２１へのハンドオーバ要求（HANDOVER  REQUESTメッセージ）の送信およびそれに対する応答（HAND  OVER  FAILUREメッセージ）の受信を行なう（ステップＳ１１，Ｓ１２）。なお、図５では、ＨｅＮＢ２１がハンドオーバ制御動作を行なった結果、何らかの理由によりハンドオーバ要求を受け付けることができなかった場合のシーケンス例を示している。一方、ＵＥ１が緊急呼を確立しておらず、かつアクセス権も有していない場合、ＭＭＥ２０はステップＳ１１を実行することなく、ただちに、ハンドオーバ要求を拒絶する内容のメッセージ応答（FORWARD  RELOCATION  RESPONSEメッセージ）をＭＭＥ１０に返送する（ステップＳ４）。
【００３７】
また、（Ｃ）受け付け状態が「２」の場合にはＵＥ１が確立しているサービスが緊急呼かどうかを確認し、ＵＥ１が緊急呼を確立していれば、通常のシーケンスと同様に、ＨｅＮＢ２１へのハンドオーバ要求（HANDOVER  REQUESTメッセージ）の送信およびそれに対する応答（HAND  OVER  FAILUREメッセージ）の受信を行なう（ステップＳ１１，Ｓ１２）。一方、緊急呼を確立していなければ、ＭＭＥ２０はステップＳ１１を実行することなく、ただちにステップＳ４を実行する。
【００３８】
また、（Ｄ）受け付け状態が「３」の場合には、ステップＳ１１を実行することなく、ただちにステップＳ４を実行する。なお、この場合のシーケンスは実施の形態１で示した、ハンドオーバ先基地局の負荷が高い状態におけるシーケンスと同じである。
【００３９】
ここで、ステップＳ１１およびＳ１２の詳細について示す。ステップＳ１１では、ＨｅＮＢ２１はＭＭＥ２０からハンドオーバ要求（HANDOVER  REQUESTメッセージ）を受信すると、自セルの負荷状態および既存ＵＥ（自基地局に接続中のＵＥ）のＱｏＳに従い、必要ならば既存ＵＥのデータレートを減少させたり、他セルへハンドオーバさせたりして、新規ハンドオーバＵＥの受け付け準備を行なう。ステップＳ１２では、ＨｅＮＢ２１にてＵＥ１のハンドオーバを受け付け不可と判別した場合、ハンドオーバを拒絶する応答（HANDOVER  FAILUREメッセージ）をＭＭＥ２０に返す。
【００４０】
なお、実施の形態１でも示したように、ハンドオーバ元の基地局がＨｅＮＢの場合も同様の制御となる。また、ＨｅＮＢはＨｅＮＢ−ＧＷを介してＭＭＥに接続される構成であっても、同様の制御となる。
【００４１】
このように、本実施の形態では、各ＨｅＮＢが自身を制御するＭＭＥに対してハンドオーバ受け付け状態（図４参照）を通知し、各ＭＭＥはハンドオーバを実行しようとしているＵＥの種別（アクセス権を有するかどうかなどを示す属性）および確立中の呼の種別（たとえば緊急呼か否か）が各ハンドオーバ受け付け状態における条件を満足するかどうか判断し、満足する場合にのみハンドオーバ要求をハンドオーバ先ＨｅＮＢに送信するようにした。これにより、ハンドオーバ制御にかかる無駄な制御メッセージ（ハンドオーバ要求）がＭＭＥからハンドオーバ先ＨｅＮＢへ送信されることがなくなり、効率的なハンドオーバ制御が実現できる。また、ＭＭＥとＨｅＮＢとの間のユーザ加入ブロードバンド回線の帯域をハンドオーバ制御メッセージがひっ迫するのを防止するとともに、ハンドオーバ先のＨｅＮＢにおいて相次ぐハンドオーバ要求を処理するためのハンドオーバ処理負荷を軽減できる。さらに、ＵＥのサービス種別やアクセス権に基づいてハンドオーバ先ＨｅＮＢにて詳細なハンドオーバ受け付け制御を行なうことが可能となる。
【００４２】
実施の形態３．
つづいて、実施の形態３の無線通信システムについて説明する。なお、システムの構成は、実施の形態１と同様であるものとして説明を行なう（図１参照）。
【００４３】
実施の形態２では、ＭＭＥが、ＵＥのサービス種別やアクセス権など、サービス属性に基づいてハンドオーバ要求をＨｅＮＢに送信するか否かを判断する制御動作について説明した。これに対して本実施の形態では、ＭＭＥが、ＵＥの無線属性に基づいてハンドオーバ要求をＨｅＮＢに送信するか否かを判断する制御動作について説明する。
【００４４】
図６は、ＨｅＮＢがＭＭＥに通知する、ハンドオーバ受け付け状態を構成するＵＥ属性の一例を示す図である。属性番号「０」は、ハンドオーバ先の基地局（ＨｅＮＢ）へのアクセス権を有しているＵＥであることを示し、属性番号「１」は、緊急呼を確立しているＵＥであることを示す。また、属性番号「２」は、ハンドオーバ元の基地局と通信することにより、ハンドオーバ先の基地局（ＨｅＮＢ）に干渉を与えるＵＥであることを示し、属性番号「３」は、その他のＵＥ（上記のいずれの属性にもあてはまらないＵＥ）であることを示す。本実施の形態ではこれらＵＥ属性のリストをハンドオーバ処理の受け付けレベルとする。例えば、図４で示したハンドオーバ処理の受け付けレベルは、図６に示したＵＥ属性を利用して図７に示したように構成することができる。図７は、ＵＥ属性に対応させたハンドオーバ処理の受け付けレベルの一例を示す図である。
【００４５】
本実施の形態においては、ＨｅＮＢは、ハンドオーバ処理の受け付けレベルを変更した場合、ハンドオーバ処理の受け付けレベルとともに、干渉ＵＥとみなす条件を、自身を制御するＭＭＥ（複数の場合もある）へ通知する。干渉ＵＥとみなす条件は、例えばＵＥが測定するハンドオーバ先基地局のＲＳＳＩ（Received  Signal  Strength  Indicator）の下限およびＵＥのハンドオーバ元基地局に接続時の送信電力の下限とし、ＵＥが測定したハンドオーバ先基地局のＲＳＳＩおよび送信電力がこれら下限値を上回っていたとき、干渉ＵＥとする。あるいは、ＵＥ１が測定するハンドオーバ先基地局のパスロスとハンドオーバ元基地局のパスロスの差があるしきい値を上回ったときとする。干渉ＵＥとみなす条件を図１に示した構成の場合にあてはめてみると、ＵＥ１が測定するＨｅＮＢ２１のＲＳＳＩの下限およびＵＥ１のｅＮＢ１１接続時の送信電力の下限を使用し、ＵＥ１が測定したＨｅＮＢ２１のＲＳＳＩおよび送信電力がこれら下限値を上回った場合とする。あるいは、ＵＥ１が測定するＨｅＮＢ２１のパスロスとｅＮＢ１１のパスロスの差が所定のしきい値を上回った場合とする。
【００４６】
以下、図８を参照しながら本実施の形態のハンドオーバ制御動作について説明する。図８は、実施の形態３の無線通信システムにおけるハンドオーバ制御シーケンスの一例を示す図であり、ＨｅＮＢ２１がハンドオーバ（ＵＥ１の新規接続）を受け付けられない場合のシーケンスを示している。なお、ＨｅＮＢ２１がハンドオーバ要求を受付可能な場合、通常のシーケンスとなるが、これは、３ＧＰＰ  ＴＳ.２３.４０１（Ｖ８.６.０）に従った制御となる。また、図８において、実施の形態２のハンドオーバ制御シーケンスを示した図５に含まれる処理と同一の処理には同じステップ番号を付与している。これらの処理については、説明を省略する。
【００４７】
本実施の形態の無線通信システムにおいて、ｅＮＢ１１は、ＭＭＥ２０におけるハンドオーバ受け付け制御のために必要なＲＳＳＩ，パスロス等の測定結果の情報（測定情報）をＵＥ１から取得する。これらの測定結果は、「MEASUREMENT  REPORTメッセージ」にてＵＥ１からｅＮＢ１１へ通知される（ステップＳ１ａ）。なお、ＵＥ１は、通信中ではない他の周辺基地局（たとえばＨｅＮＢ２１）についての測定結果も併せて通知する。ｅＮＢ１１はＵＥ１から報告された測定情報等に基づいて、ＵＥ１を他の基地局にハンドオーバさせるかどうかを判断する。ハンドオーバさせると判断した場合、ハンドオーバ先の基地局も併せて決定する。
【００４８】
そして、ｅＮＢ１１は、ＵＥ１１をハンドオーバさせると判断した場合、ＵＥ１から取得した無線測定情報を「HANDOVER  REQUIREDメッセージ」に含め、自身を制御しているＭＭＥ１０に送信する（ステップＳ２ａ）。
【００４９】
ｅＮＢ１１から「HANDOVER  REQUIREDメッセージ」を受け取ったＭＭＥ１０は、このメッセージに含まれている無線測定情報を「FORWARD  RELOCATION  REQUESTメッセージ」に含め、ＵＥ１のハンドオーバ先基地局であるＨｅＮＢ２１を制御しているＭＭＥのいずれか（この例ではＭＭＥ２０）に送信する（ステップＳ３ａ）。
【００５０】
ＭＭＥ１０から「FORWARD  RELOCATION  REQUESTメッセージ」を受け取ったＭＭＥ２０は、ハンドオーバ先基地局であるＨｅＮＢ２１のハンドオーバ受け付け状態（図６，図７参照）をチェックする。そして、ハンドオーバ受け付け状態が干渉ＵＥ属性を含む場合には、ステップＳ３ａでＭＭＥ１０から取得した無線測定情報に基づいて、ハンドオーバＵＥであるＵＥ１が干渉ＵＥか否かを判別する。ＵＥ１が干渉ＵＥでなければ、ＨｅＮＢ２１がハンドオーバを受け付けられないと判断し、ただちにステップＳ４を実行する。一方、ハンドオーバ受け付け状態が干渉ＵＥ属性を含まない場合及びＵＥ１が干渉ＵＥである場合、実施の形態２のステップＳ１０で実行した動作と同じ動作を実行する（ステップＳ１０ａ）。すなわち、ステップＳ１０ａは、ハンドオーバを実行するＵＥが干渉ＵＥに該当するかどうかの判定処理を上述したステップＳ１０（図５など参照）に追加したものであり、より詳細には、ハンドオーバを実行するＵＥが干渉ＵＥである場合にステップＳ１０と同じ処理を実行するものである。
【００５１】
また、ＭＭＥ２０は、ハンドオーバ要求メッセージ（HANDOVER  REQUESTメッセージ）をＨｅＮＢ２１へ送信する場合、ＭＭＥ１０から受け取った「FORWARD  RELOCATION  REQUESTメッセージ」に含まれていた無線測定情報を含めて送信する（ステップＳ１１ａ）。ＨｅＮＢ２１は、受信した無線測定情報に基づいて、ＵＥ１をハンドオーバさせるか否かを決定する。
【００５２】
このように、本実施の形態の無線通信システムでは、各ＨｅＮＢが自身を制御するＭＭＥに対してハンドオーバ受け付け状態（図４参照）を通知し、各ＭＭＥは各ハンドオーバ受け付け状態における条件を満足する場合のみハンドオーバ要求をハンドオーバ先ＨｅＮＢに送信するようにした。また、ハンドオーバ元基地局（ｅＮＢまたはＨｅＮＢ）はハンドオーバＵＥの無線測定情報をハンドオーバ元ＭＭＥに通知し、ハンドオーバ元ＭＭＥは受信した無線測定情報をハンドオーバ先ＭＭＥに通知するようにした。これにより、無駄なハンドオーバ要求はハンドオーバ先ＭＭＥで拒絶されるので、ハンドオーバ制御にかかる無駄な制御メッセージ（ハンドオーバ要求）がＭＭＥからハンドオーバ先ＨｅＮＢへ送信されることがなくなり、効率的なハンドオーバ制御が実現できる。また、ＭＭＥとＨｅＮＢとの間のユーザ加入ブロードバンド回線の帯域をハンドオーバ制御メッセージがひっ迫するのを防止するとともに、ハンドオーバ先のＨｅＮＢにおいて相次ぐハンドオーバ要求を処理するためのハンドオーバ処理負荷を軽減できる。加えて、ＵＥの無線属性に基づいてハンドオーバ先ＨｅＮＢにて詳細なハンドオーバ受け付け制御を行なうことが可能となる。
【００５３】
なお、実施の形態１および２の無線通信システムにおいて、本実施の形態と同様に、ハンドオーバＵＥの無線測定情報をハンドオーバ先ＭＭＥに通知するように構成してもよい。この場合にも、ハンドオーバ先ＭＭＥで無駄なハンドオーバ要求を拒絶するとともに、ハンドオーバ先ＨｅＮＢにてＵＥの無線属性に基づく詳細なハンドオーバ受け付け制御が実施可能となる。
【００５４】
実施の形態４．
つづいて、実施の形態４の無線通信システムについて説明する。先の実施の形態では、拒絶されることが明らかなハンドオーバ要求をハンドオーバ先ＭＭＥで拒絶するように構成した場合のハンドオーバ制御動作について説明したが、ハンドオーバ先のＭＭＥとハンドオーバ先の基地局がゲートウェイ装置（ＨｅＮＢ−ＧＷ）を介して接続されている場合、ＨｅＮＢ−ＧＷでハンドオーバ要求を拒絶するように構成することも可能である。そこで、本実施の形態では、拒絶されることが明らかなハンドオーバ要求をハンドオーバ先の基地局を収容しているＨｅＮＢ−ＧＷにて拒絶するハンドオーバ制御動作について説明する。
【００５５】
図９は、実施の形態４の無線通信システムの構成例を示す図であり、先の実施の形態の無線通信システム（図１参照）と比較して、ＨｅＮＢ２１がＨｅＮＢ−ＧＷ２２を介してＭＭＥ２０および３０に接続されている点が異なる。ＨｅＮＢ−ＧＷ２２は無線アクセスネットワークのノードであり、ＨｅＮＢ−ＧＷ２２とＨｅＮＢ２１との間がユーザ加入ブロードバンド回線となる。なお、先の実施の形態と同様に、ハンドオーバ元基地局ｅＮＢ１１は通常の基地局である必要はなく、ＨｅＮＢ２１と同じ家庭用基地局であってもよい。
【００５６】
以下、本実施の形態の無線通信システムにおけるハンドオーバ制御動作について説明する。ここでは、図９に示した無線通信システムにおいて、ｅＮＢ１１に接続しているＵＥ１がＨｅＮＢ２１にハンドオーバする際の動作例について説明する。
【００５７】
まず、ＨｅＮＢ２１は、自身に接続しているＵＥに割り当てている無線リソースの空きや接続ＵＥに対する無線リソース管理制御・移動制御等の制御負荷を元に、自身の負荷状態を判断し、その結果を示す負荷情報をＨｅＮＢ−ＧＷ２２へ通知する。この負荷情報は、例えば実施の形態１と同様に任意のＵＥを受け付け可能な状態（レベル０）と、負荷が高く新規のＵＥを受け付け不可能な状態（レベル１）を示すものとし、ＨｅＮＢ２１は負荷状態が変化する毎にＨｅＮＢ−ＧＷ２２に負荷情報（負荷レベル）を通知する。負荷情報の通知には、実施の形態１でも説明したように、「ENB  CONFIGURATION  UPDATEメッセージ」を利用する方法や「OVERLOAD  STARTメッセージ」などと同様のメッセージを追加定義して使用する方法が適用できる。もちろん、他の方法で通知するようにしてもよい。ＨｅＮＢ−ＧＷ２２は、ＨｅＮＢ２１から通知された負荷情報を、ＨｅＮＢ２１から新たな負荷情報が通知されてくるまで保持しておく。
【００５８】
なお、現在の３ＧＰＰ規格においては、ＨｅＮＢ−ＧＷはＭＭＥとＨｅＮＢとの間の制御メッセージを透過転送することになっているので、ＨｅＮＢ−ＧＷ２２は、上記負荷情報を含んだ制御メッセージ（ENB  CONFIGURATION  UPDATEメッセージなど）をＨｅＮＢ２１から受信した場合、含まれている負荷情報が示しているＨｅＮＢ２１の負荷状態を内部に記憶した後、ＭＭＥ２０および３０に転送するようにしてもよい。
【００５９】
上記のようにしてＨｅＮＢ−ＧＷ２２がＨｅＮＢ２１の負荷状態を把握し、ＨｅＮＢ２１の負荷が高く、新規ＵＥを受け付け不可能な状態でＵＥ１がｅＮＢ１１からＨｅＮＢ２１へハンドオーバする際の動作を、図１０を用いて説明する。図１０は、実施の形態４の無線通信システムにおけるハンドオーバ制御シーケンスの一例を示す図であり、具体的には、ＨｅＮＢ２１が高負荷状態のためハンドオーバを受け付けられない場合のハンドオーバ制御シーケンスを示している。なお、ＨｅＮＢ２１がハンドオーバ要求を受付可能な場合、通常のシーケンスとなるが、これは、３ＧＰＰ  ＴＳ.２３.４０１（Ｖ８.６.０）に従った制御となる。また、図１０において、実施の形態１のハンドオーバ制御シーケンスを示した図３に含まれる処理と同一の処理には同じステップ番号を付与している。これらの処理については、説明を省略する。
【００６０】
本実施の形態の無線通信システムにおけるハンドオーバ制御では、ステップＳ３を実行すると、次に、ＭＭＥ２０が、通常のハンドオーバ手順に従って「HANDOVER  REQUESTメッセージ」をハンドオーバ先の基地局（ＨｅＮＢ−ＧＷ２２）へ送信する（ステップＳ２１）。
【００６１】
ＨｅＮＢ−ＧＷ２２は、「HANDOVER  REQUESTメッセージ」を受信すると、このメッセージが示している基地局（ハンドオーバ先のＨｅＮＢ２１）から取得しておいた負荷情報を確認し、当該基地局の状態を確認する。そして、ここではＨｅＮＢ２１の負荷が高く、ＵＥ１のハンドオーバを受け付け不可能な状態であるため、直ちに、ハンドオーバ要求を拒絶する応答（HANDOVER  FAILUREメッセージ）をＭＭＥ２０に返送する（ステップＳ２２）。これ以降の動作は、実施の形態１と同様である。
【００６２】
なお、図９に示した構成の無線通信システムに対して実施の形態２，３で説明したハンドオーバ制御動作を適用することも可能である。すなわち、実施の形態２，３においてハンドオーバ先ＨｅＮＢを制御しているＭＭＥが実行していた制御動作（ハンドオーバ制御メッセージをＨｅＮＢへ送信するかどうかの判定、および判定結果に応じた動作）を、これらのＨｅＮＢとＭＭＥの間に位置するゲートウェイ装置（ＨｅＮＢ−ＧＷ）が実行するようにしてもよい。
【００６３】
このように、本実施の形態の無線通信システムでは、実施の形態１〜３で示したハンドオーバ先のＭＭＥが実行していた制御動作（ハンドオーバ制御メッセージをＨｅＮＢへ送信するかどうかの判定、および判定結果に応じた動作）を、ハンドオーバ先のＨｅＮＢとそれを制御しているＭＭＥとの間に位置するＨｅＮＢ−ＧＷが実行することとした。このような場合も、実施の形態１〜３と同様の効果を得ることができる。
【産業上の利用可能性】
【００６４】
以上のように、本発明にかかる無線通信システムは、ハンドオーバ制御のための情報を他の基地局と交換することができない基地局を利用する場合に有用であり、特に、当該基地局への効率的なハンドオーバを提供可能な無線通信システムに適している。
【符号の説明】
【００６５】
１  ＵＥ
１０，２０，３０  ＭＭＥ
１１  ｅＮＢ
２１  ＨｅＮＢ
２２  ＨｅＮＢ−ＧＷ
【図１】
2011077704.tif 000003
【図２】
2011077704.tif 000004
【図３】
2011077704.tif 000005
【図４】
2011077704.tif 000006
【図５】
2011077704.tif 000007
【図６】
2011077704.tif 000008
【図７】
2011077704.tif 000009
【図８】
2011077704.tif 000010
【図９】
2011077704.tif 000011
【図１０】
2011077704.tif 000012